(57)【要約】【課題】  使用時に締紐が耳の基部上縁に強く当たらず、耳が痛くならない使い捨て防塵マスクを提供する。【解決手段】  保形性を有する碗状のマスク本体を備え、マスク本体は、突面側からの正面視で、緩い下り傾斜の直線状の左右上縁と円弧状の左右側縁及び左右下縁とを有する左右対称形状であり、更にマスク本体を使用者の頭部に装着するために前記正面視で左右一対の締紐を備え、締紐の一端はマスク本体突面の上縁近傍に他端はマスク本体突面の側縁下部近傍に取り付けられている。【選択図】  図１
2019119960.tif 000002
【特許請求の範囲】
【請求項１】
保形性を有する碗状のマスク本体を備え、マスク本体は、突面側からの正面視で、緩い下り傾斜の直線状の左右上縁と円弧状の左右側縁及び左右下縁とを有する左右対称形状であり、更にマスク本体を使用者の頭部に装着するために前記正面視で左右一対の締紐を備え、締紐の一端はマスク本体突面の上縁近傍に他端はマスク本体突面の側縁下部近傍に取り付けられていることを特徴とする使い捨て防塵マスク。
【請求項２】
締紐の前記一端はマスク本体に直接固定されており、締紐の前記他端はマスク本体に固定された長さ調整具に取り付けられていることを特徴とする請求項１に記載の使い捨て防塵マスク。
【発明の詳細な説明】
【技術分野】
【０００１】
本発明は、使い捨て防塵マスクに関するものである。
【背景技術】
【０００２】
保形性を有する碗状のマスク本体を備え、マスク本体は、突面側からの正面視で、緩い下り傾斜の直線状の左右上縁と円弧状の左右側縁及び左右下縁とを有する左右対称形状であり、更にマスク本体を使用者の頭部に装着するために前記正面視で左右一対の締紐を備え、締紐の一端はマスク本体の側縁上部近傍に他端はマスク本体の側縁下部近傍に取り付けられた使い捨て防塵マスクが特許文献１に開示されている。
特許文献１の使い捨て防塵マスクの使用時において、左右の締紐は使用者の後頭部まで引き回され連結具を用いて連結される。左右の締紐の下側延在部は左右の耳の下方で略水平に延在し、左右の締紐の上側延在部は使用者の左右の耳の基部の上縁に当接し、前記当接部を頂点とする山形に延在する。
【先行技術文献】
【特許文献】
【０００３】
【特許文献１】特開２０００−２１７９４０号公報
【発明の概要】
【発明が解決しようとする課題】
【０００４】
特許文献１の使い捨て防塵マスクには、締紐の一端のマスク本体への取付け位置が低いために、締紐の上側延在部の山形の傾斜が大きくなり、締紐が耳の基部上縁に強く当たり、耳が痛くなるという問題があった。
本発明は、上記問題に鑑みてなされたものであり、保形性を有する碗状のマスク本体を備え、マスク本体は、突面側からの正面視で、緩い下り傾斜の直線状の左右上縁と円弧状の左右側縁及び左右下縁とを有する左右対称形状であり、更にマスク本体を使用者の頭部に装着するために前記正面視で左右一対の締紐を備える使い捨て防塵マスクであって、使用時に締紐が耳の基部上縁に強く当たらず、耳が痛くならない使い捨て防塵マスクを提供することを目的とする。
【課題を解決するための手段】
【０００５】
上記課題を解決するために、本発明においては、保形性を有する碗状のマスク本体を備え、マスク本体は、突面側からの正面視で、緩い下り傾斜の直線状の左右上縁と円弧状の左右側縁及び左右下縁とを有する左右対称形状であり、更にマスク本体を使用者の頭部に装着するために前記正面視で左右一対の締紐を備え、締紐の一端はマスク本体突面の上縁近傍に他端はマスク本体突面の側縁下部近傍に取り付けられていることを特徴とする使い捨て防塵マスクを提供する。
本発明に係る使い捨て防塵マスクにおいては、左右の締紐の一端はマスク本体突面の上縁近傍に取り付けられており、特許文献１の使い捨て防塵マスクに比べて取付け位置が高いので、左右の耳の基部の上縁に当接して山形に延在する締紐の傾斜が緩く、締紐は耳の基部上縁に強く当たらず、耳は痛くならない。
本発明の好ましい態様においては、左右一対の締紐の前記一端はマスク本体に直接固定され、他端はマスク本体に固定された長さ調整具に取り付けられている。
マスク本体の上縁は使用者の目に近いので、上縁近傍に長さ調整具を固定すると視界の邪魔になりまた危険である。従って締紐の一端はマスクの上縁近傍に直接固定するのが望ましい。他方マスク本体の側縁下部は目から遠いので、マスク本体の側縁下部近傍に長さ調整具を固定し、長さ調整具に締紐の他端を取り付けても問題を生じない。
【図面の簡単な説明】
【０００６】
【図１】本発明の実施例に係る使い捨て防塵マスクの外観斜視図である。
【図２】本発明の実施例に係る使い捨て防塵マスクの装着状態を示す図である。（ａ）は顔面側から見た斜視図であり、（ｂ）後頭部側から見た斜視図である。
【発明を実施するための形態】
【０００７】
本発明の実施例に係る使い捨て防塵マスクを説明する。
図１に示すように、使い捨て防塵マスク１は、保形性を有する碗状のマスク本体２と、マスク本体の周縁部から径方向内方へ延びる環状の接顔布２’とを備えている。マスク本体２は、突面側からの正面視で、緩い下り傾斜の直線状の左右上縁２ａと、円弧状の左右側縁２ｂ及び左右下縁２ｃとを有する左右対称形状である。
使い捨て防塵マスク１は更に、マスク本体２を使用者の頭部に装着するために、前記正面視で左右一対の締紐３を備えている。締紐３の一端はマスク本体２突面の上縁２ａ近傍に、他端はマスク本体２突面の側縁２ｂ下部近傍に、取り付けられている。
締紐３の前記一端は溶着や接着によってマスク本体２に直接固定されており、前記他端はマスク本体２に固定された長さ調整具４に取り付けられている。
一方の締紐３に連結具５が取り付けられている。
図２に示すように、使い捨て防塵マスク１の使用時において、左右の締紐３は使用者の後頭部まで引き回され連結具５を用いて連結されている。左右の締紐３の下側延在部は左右の耳の下方で略水平に延在し、左右の締紐３の上側延在部は使用者の左右の耳の基部の上縁に当接し、前記当接部を頂点とする山形に延在する。
【０００８】
捨て防塵マスク１においては、左右の締紐３の一端はマスク本体２突面の上縁２ａ近傍に取り付けられており、特許文献１の使い捨て防塵マスクに比べて取付け位置が高いので、使用者の左右の耳の基部の上縁に当接して延在する締紐３の上側延在部の山形の傾斜が緩く、締紐３は耳の基部上縁に強く当たらず、耳は痛くならない。
図２(a)から分かるように、マスク本体２の上縁２ａは使用者の目に近いので、上縁２ａ近傍に長さ調整具４を固定すると視界の邪魔になりまた危険である。従って締紐３の一端はマスク本体２突面の上縁２ａ近傍に直接固定するのが望ましい。他方マスク本体２の側縁２ｂ下部は目から遠いので、マスク本体の側縁２ｂ下部近傍に長さ調整具４を固定し、長さ調整具４に締紐３の他端を取り付けても問題を生じない。
【産業上の利用可能性】
【０００９】
本発明は、保形性を有する碗状のマスク本体を備え、マスク本体は、突面側からの正面視で、緩い下り傾斜の直線状の左右上縁と円弧状の左右側縁及び左右下縁とを有する左右対称形状であり、更にマスク本体を使用者の頭部に装着するために前記正面視で左右一対の締紐を備える使い捨て防塵マスクに広く利用可能である。
【符号の説明】
【００１０】
１  使い捨て防塵マスク
２  マスク本体
２ａ  上縁
２ｂ  側縁
２ｃ  下縁
２’接顔布 
３  締紐
４  長さ調整具
５  連結具
【図１】
2019119960.tif 000003
【図２】
2019119960.tif 000004